(57)【特許請求の範囲】
【請求項１】
内容物を貯蔵する内容器と、
前記内容器を収容する容器本体と、
前記内容器に収容された内容物を排出させる排出手段と、
前記排出手段によって排出された内容物を分配する分配部と、
前記分配部を上側から密閉して前記容器本体を閉蓋する上部キャップと、を備え、
前記容器本体の一側に開口部が形成され、前記開口部を通して前記内容器を前記容器本体に挿入することができ、前記開口部を通して前記内容器が前記容器本体から取り外すことができ、
前記内容器は、内容物を貯蔵する貯蔵部と、前記貯蔵部の少なくとも一面を包むとともに前記貯蔵部よりも大きい幅を有し、前記貯蔵部の外側に突設されて、前記内容器を前記容器本体に挿入した際に、前記本体の一面を形成する外周部と、を備え、
前記上部キャップは、前記上部キャップが前記容器本体を閉蓋する場合、前記容器本体に挿入された内容器が前記容器本体内へ加圧されることで前記排出手段によって内容物が吐出されることを防止する係止部を備え、
前記係止部は、前記上部キャップの周りに沿って下側に突設され、前記上部キャップが前記容器本体を密閉した状態で、前記係止部の側面が前記外周部の内側面に接するとともに、前記貯蔵部には接せず、前記内容器が前記容器本体の内側に加圧されることを制限するが、前記内容器が前記容器本体の外側に分離されることを可能にする
ことを特徴とする化粧品容器。
【請求項２】
前記開口部は、前記容器本体の側面に形成される
請求項１に記載の化粧品容器。
【請求項３】
前記排出手段は、ポンプ及びポンプノズルを備える
請求項１に記載の化粧品容器。
【請求項４】
前記ポンプは前記内容器に形成され、前記ポンプノズルは前記分配部に形成され、前記内容器の前記容器本体内への挿入時、前記ポンプが前記ポンプノズルに結合する
請求項３に記載の化粧品容器。
【請求項５】
前記ポンプは、エアレスポンプまたはディップチューブ型ポンプである
請求項３に記載の化粧品容器。
【請求項６】
前記ポンプがエアレスポンプである場合、前記内容器は、移動式フィルムまたはピストンを備えるか、収縮可能パウチ型である
請求項５に記載の化粧品容器。
【請求項７】
前記内容器の前記容器本体内への挿入後、前記容器本体内への加圧時、前記内容器に収容された内容物が前記排出手段によって前記分配部に吐出される
請求項１に記載の化粧品容器。
【請求項８】
前記係止部は、前記上部キャップの周りに沿って１つ以上形成される
請求項１に記載の化粧品容器。
【請求項９】
前記容器本体の一側に、前記内容器の一部を把持可能な把持部が形成されている
請求項１に記載の化粧品容器。
【請求項１０】
前記把持部は、前記容器本体の開口部と前記内容器の外周部との間に離隔した空間に形成されている
請求項９に記載の化粧品容器。
【請求項１１】
前記分配部は、
前記排出手段が結合する中間本体と、
前記中間本体の上部に結合して内容物を分配する分配板と、を備える
請求項１に記載の化粧品容器。
【請求項１２】
前記分配板には、前記排出手段によって吐出された内容物を分配できるようにする分配路が形成されている
請求項１１に記載の化粧品容器。
【請求項１３】
前記分配部は、メッシュ網をさらに備える
請求項１に記載の化粧品容器。
【発明の詳細な説明】
【技術分野】
【０００１】
本発明は、化粧品容器に係り、さらに詳しくは、詰め替え可能な内容器付き化粧品容器に関する。
【背景技術】
【０００２】
化粧品容器、特にコンパクト容器とは、内部に化粧料を主に保持し、使用者が別のパフなどの化粧用具を用いてコンパクト容器内の化粧料を取り、使用者の顔や体などの身体に塗布することで容易に化粧できるようにした容器のことである。化粧品用コンパクト容器は、主に円形または四角形の様々な形状に製造され、使用者による持ち運びを容易にするために小型化した容器が広く使用されている。このような化粧品用コンパクト容器は、粉末タイプのフィニッシングパウダーや固体タイプの圧縮パウダーなどのメークアップ化粧料はもとより、液状タイプのファンデーションなどのメークアップ化粧料またはゲル（ｇｅｌ）タイプの日焼け止めなどのスキンケア化粧料などの流体タイプ化粧料を保持できるように使用される。
【０００３】
従来、使用者は、化粧品用コンパクト容器内の化粧料を使い切った場合や使用中の化粧料以外の新しい化粧料を使用したい場合は、新しいコンパクト容器を購入する必要があった。しかし、新しいコンパクト容器を購入するには相当な費用がかかり、新しい化粧料を有するコンパクト容器の外観が気に入らないという事実を考慮すると、コンパクト容器をそのままにした状態で、化粧料入りの内容器だけを容易に交換して使用することができる新しいコンパクト容器が求められた。
【０００４】
そこで、化粧料入りの内容器を交換して使用できる詰め替え可能な化粧品容器が開発された。しかしながら、このような容器は、内容器を容器本体の上方からまたは下方から脱着する構造をとり、片手で内容器を脱着することができないという問題がある。すなわち、内容器を容器本体の上方からまたは下方から安定して脱着するためには、片手で容器を把持した状態で、他の片手で詰め替え用内容器を容器本体内に挿入するか、容器本体から取り外す必要があるため、必ず両手を同時に使用しなければならない。このように詰め替え用内容器の脱着のために両手を同時に使用する場合には、例えば、化粧料を顔や体などの身体に塗布しながら内容器を交換することも困難であり、また、他の物品を片手に持ったまま内容器を交換することも困難であるという問題がある。
【０００５】
また、内容器を容器本体の上方から脱着する構造を有するコンパクト容器は、通常、上部キャップが容器本体の一側に連結されていることを考慮すると、連結された上部キャップによって内容器の脱着動作が相当邪魔され、脱着動作時に内容器内の化粧料がコンパクト容器の外側に漏れてしまうというおそれがある。
【０００６】
さらに、従来の詰め替え用コンパクト容器は、内容器内の化粧料が空気にさらされており、複数回使用したときに細菌等にさらされやすいという問題がある。
【発明の概要】
【発明が解決しようとする課題】
【０００７】
本発明は、上記問題点を解決するためになされたものであり、その目的は、化粧品容器本体をそのままにした状態で、化粧料入りの内容器だけを容易に交換して使用できる新しい化粧品容器を提供することである。
【０００８】
また、本発明の目的は、詰め替え用内容器を容器本体の側面から脱着できるようにすることにより、片手だけで詰め替え用内容器を容易に脱着することができる新しい構造の詰め替え可能な化粧品容器を提供することである。
【０００９】
本発明の他の目的は、化粧品容器の内部に結合した内容器を加圧して、内容器内に封入されている清潔な化粧料を、必要量だけ内容器の外部に吐出できるようにすることにより、細菌に汚染されていない新鮮な化粧料を提供することができる化粧品容器を提供することである。
【００１０】
本発明の技術的課題は、以上で言及した技術的課題に制限されず、言及されていないまた他の技術的課題は、以下の記載から当業者にとって明確に理解できるであろう。
【課題を解決するための手段】
【００１１】
本発明の一実施形態に係る化粧品容器は、内容物を貯蔵する内容器と、前記内容器を収容する容器本体と、前記内容器に収容された内容物を排出させる排出手段と、前記排出手段によって排出された内容物を分配する分配部と、前記容器本体を密閉する上部キャップと、を備え、前記容器本体の一側に開口部が形成され、前記開口部を通して前記内容器を前記容器本体に挿入することができ、前記開口部を通して前記内容器を前記容器本体から取り外すことができる。
【００１２】
好ましくは、前記開口部は、前記容器本体の側面に形成されてもよい。
【００１３】
また、好ましくは、前記排出手段は、ポンプ及びポンプノズルを備えてもよい。
【００１４】
また、好ましくは、前記ポンプは内容器に形成され、前記ポンプノズルは分配部に形成され、内容器の容器本体内への挿入時、前記ポンプが前記ポンプノズルに結合することができる。
【００１５】
また、好ましくは、前記ポンプは、エアレスポンプまたはディップチューブ型ポンプであってもよい。
【００１６】
また、好ましくは、前記ポンプがエアレスポンプである場合、前記内容器は、移動式フィルムまたはピストンを備えるか、収縮可能パウチ形態であってもよい。
【００１７】
また、好ましくは、前記内容器の前記容器本体内への挿入後、容器本体内への加圧時、内容器に収容された内容物が前記排出手段によって前記分配部に吐出されてもよい。
【００１８】
また、好ましくは、前記化粧品容器は、前記上部キャップが前記容器本体を密閉する場合、前記容器本体に挿入された内容器が前記容器本体内へ加圧されるのを防止する係止部を備えてもよい。
【００１９】
また、好ましくは、前記係止部は、前記上部キャップに形成されてもよい。
【００２０】
また、好ましくは、前記係止部は、前記上部キャップの周りに沿って１つ以上形成されてもよい。
【００２１】
また、好ましくは、前記内容器は、化粧内容物を貯蔵する貯蔵部と、前記貯蔵部の少なくとも一面に突設された外周部と、を備えてもよい。
【００２２】
また、好ましくは、前記外周部は、前記内容器を容器本体に挿入した際に、容器本体の一面を形成してもよい。
【００２３】
また、好ましくは、前記化粧品容器には、前記容器本体の一側に、前記内容器の一部を把持可能な把持部が形成されていてもよい。
【００２４】
また、好ましくは、前記把持部は、前記容器本体の開口部と前記内容器の外周部との間に離隔した空間に形成されていてもよい。
【００２５】
また、好ましくは、前記分配部は、前記排出手段が結合する中間本体と、前記中間本体の上部に結合して内容物を分配する分配板と、を備えてもよい。
【００２６】
また、好ましくは、前記分配板には、前記排出手段によって吐出された内容物を分配できるようにする分配路が形成されていてもよい。
【００２７】
また、好ましくは、前記分配部は、メッシュ網をさらに備えてもよい。
【発明の効果】
【００２８】
本発明によれば、化粧品容器本体をそのままにした状態で、化粧料入りの内容器だけを容易に交換して使用することができる。
【００２９】
また、内容器を容器本体の側面から脱着できるようにすることにより、片手だけで詰め替え用内容器を容易に脱着することができる。
【００３０】
また、容器本体の内部に結合した内容器を加圧して、内容器内に封入されている清潔な化粧料を、必要量だけ内容器の外部に吐出できるようにすることにより、細菌に汚染されていない新鮮な化粧料を提供することができるという利点がある。
【図面の簡単な説明】
【００３１】
【図１】本発明の一実施形態に係る化粧品容器の上部キャップを開放し、内容器を容器本体から取り外した状態を示す説明図
【図２】本発明の一実施形態に係る化粧品容器の分解斜視図
【図３】本発明の一実施形態に係る化粧品容器の断面図
【図４】本発明の一実施形態に係る化粧品容器の内容器を示す説明図
【図５】本発明の一実施形態に係る化粧品容器の底面を示す底面斜視図
【図６】本発明の一実施形態に係る化粧品容器の内容器を容器本体内へ加圧した状態を示す説明図
【図７】本発明の一実施形態に係る化粧品容器の内容器を容器本体から取り外した状態を示す説明図
【発明を実施するための形態】
【００３２】
以下、添付の図面に基づき、本発明に係る実施形態について詳細に説明する。
実施形態について説明するに当たって、本発明が属する技術分野に十分知られており、本発明と直接的に関係のない技術内容については説明を省略する。これは、不要な説明を省略することにより、本発明の要旨を不明瞭にせず、より明確に伝達するためである。同様の理由で、添付の図面において一部の構成要素は、誇張されたり省略されたり概略的に示される。
また、各構成要素の大きさは、実際の大きさを反映するものではない。また、各図面において同一または対応する構成要素については同一の参照符号を付する。
【００３３】
本発明の利点および特徴、そしてそれらを達成する方法は、添付の図面と共に詳細に後述する実施形態を参照すれば明確になるであろう。しかし、本発明は、以下で開示する実施形態に限定されるものではなく、互いに異なる多様な形態で実現されるものであり、単に本実施形態は、本発明の開示を完全にし、本発明が属する技術分野で通常の知識を有する者に発明の範疇を完全に知らせるために提供されるものであり、本発明は、請求項の範疇によってのみ定義される。明細書全体にわたって同一の参照符号は同一の構成要素を指し示す。
【００３４】
明細書全体において、ある部分が他の部分と「連結」又は「接続」されているというとき、これは「直接的に連結」又は「直接的に接続」されている場合のみならず、その中間に他の素子を介在して「間接的に連結」又は「間接的に連結」されている場合をも含む。また、明細書全般に亘って、ある部分がある構成要素を「備える」というとき、これは、特に反対の記載がない限り、他の構成要素を排除するものではなく、他の構成要素をさらに備えてもよいということを意味する。さらに、本発明の構成要素を説明するに当たって、第１、第２、Ａ、Ｂ、（ａ）、（ｂ）などの用語を使用することができる。このような用語はその構成要素を他の構成要素と区別するためのものであり、その用語により該当構成要素の本質、順番または順序などが限定されるものではない。
【００３５】
図１は、本発明の一実施形態に係る化粧品容器の上部キャップを開放し、内容器を容器本体から取り外した状態を示す図である。図２は、本発明の一実施形態に係る化粧品容器の分解斜視図であり、図３は、本発明の一実施形態に係る化粧品容器の断面図である。
【００３６】
図１から図３を参照すると、本発明の一実施形態に係る化粧品容器は、内容物を貯蔵する内容器１００、容器本体２００、排出手段３００、分配部４００及び上部キャップ５００を備えてもよい。
【００３７】
内容器１００は、内容物を貯蔵する容器であって、容器本体２００に形成された開口部２１０を通して容器本体２００に挿入され得、前記開口部２１０を通して容器本体２００から取り外され得る。
【００３８】
ここで、「挿入」とは、内容器１００が、容器本体２００に形成された開口部２１０を通して容器本体２００内へ引き込まれるか、引き込まれた後、容器本体２００または容器本体２００内の他の構成、例えば、排出手段３００と結合することを意味することができる。一方、「取り外し」とは、内容器１００が、容器本体２００との結合から解除されること、すなわち、容器本体２００に形成された開口部２１０を通して容器本体２００から取り外されるか、開口部２１０から内容器１００の一部が挿入されて移動可能な状態を含み得る。
【００３９】
図４は、本発明の一実施形態に係る化粧品容器の内容器１００を示す図である。以下、図４を参照して内容器１００の構成について詳細に説明する。
【００４０】
内容器１００は、内容物を貯蔵する貯蔵部１１０と、前記貯蔵部の少なくとも一面に突設された外周部１２０と、を備えてもよい。外周部１２０は、貯蔵部の少なくとも一面を取り囲み、貯蔵部よりも大きい幅を有し、貯蔵部１１０の外側に突設されてもよい。この場合、前記外周部１２０は、内容器１００の容器本体２００への挿入時、容器本体２００の一面を形成して互いに滑らかに接続される。化粧品容器は、使用者の好みに応じて、全体的に柔軟な曲面で構成されて柔らかい美感を有する外観を有してもよい。
【００４１】
内容器１００は、挿入過程で容器本体２００内に安定してスライド可能に、さらに挿入後に容器本体２００内に安定して維持できるように、上部外側面が中間本体４１０と、下部外側面が容器本体２００とそれぞれ接触するショルダー１３０を備えてもよい。
【００４２】
内容器１００内の流体は、化粧用流体であり得る。内容器１００内の流体は、液状タイプのファンデーションなどのメークアップ化粧料、またはゲル（ｇｅｌ）タイプの日焼け止めなどのスキンケア化粧料を含んでいてもよいが、これに限定されず、すべての流体状態の化粧用物質を含んでいてもよい。いくつかの実施形態では、内容器１００内には、流体の代わりに粉末化粧料または固形化粧料を保持してもよい。いくつかの実施形態では、内容器１００内には、流体、粉末、及び固体のうちのいずれか１つ以上を含む化粧料を保持してもよい。
【００４３】
内容器１００はフィルム１１１から形成されてもよく、貯蔵部１１０内にフィルム１１１を備えてもよい。前記フィルム１１１は、内部に流体を保持可能である。フィルム１１１は、流体の吐出に応じて圧縮変形可能な素材であってもよい。フィルム１１１は薄く、複数枚で多重形成されてもよい。また、内部が真空である真空型に形成されてもよい。この場合、流体が吐出されるにつれてフィルム１１１が圧縮されるので、貯蔵部１１０内の流体を残さずに使い切ることができるという利点がある。また、化粧品容器の使用時、空気の流入による化粧料の変質や乾燥、露出などの問題を防止することにより、化粧料の品質維持及び衛生的な使用が可能である。
【００４４】
容器本体２００の一側には開口部２１０が形成されており、前記開口部２１０を通して内容器１００を容器本体２００内に挿入することができる。いくつかの実施形態では、内容器１００は、スライド方式により容器本体２００の内部に滑り込んでもよい。
【００４５】
内容器１００が挿入される開口部２１０は、容器本体２００の側面に形成されてもよい。また、開口部２１０は、一又は二以上の側面に形成されてもよい。例えば、内容器１００が挿入される開口部２１０は、化粧品容器の容器本体２００の側面のうちの一又は二以上の側面に形成されてもよい。内容器１００が挿入される開口部２１０は、上部キャップ５００を開閉するために、容器本体２００に形成されたボタン部２３０が装着された側面と、上部キャップ５００と容器本体２００とを連結する連結部が装着された側面とを除いた残りの側面のうちのいずれか１つの側面に形成されていてもよい。
【００４６】
本発明の他の実施形態によれば、内容器１００が挿入される開口部２１０は、容器本体２００の下面に形成されていてもよい。内容器１００は、容器本体２００の下面の開口部２１０を通して、下から上へ移動して容器本体２００に挿入された後、上下に移動しながら内容物を吐出することができ、下方へ移動して容器本体２００から取り外され得る。
【００４７】
内容器１００が挿入される開口部２１０の幅は、内容器１００の貯蔵部１１０の幅よりも大きくてもよい。また、一実施形態によれば、開口部２１０の幅は、内容器１００の外周部１２０の幅と同じか大きくてもよい。
図５は、本発明の一実施形態に係る化粧品容器の底面を示す底面斜視図である。以下では、図５を参照して説明する。
【００４８】
把持部２２０は、内容器１００の挿入、取り外しおよび／または加圧を容易にするための構成要素であって、容器本体２００または内容器１００に形成されてもよい。
把持部２２０は、溝、突起などの形状を有してもよく、容器と容器との間の離隔空間に形成されてもよい。
【００４９】
使用者は、内容器１００の挿入または加圧時に把持部２２０を把持することにより、挿入または加圧するための圧力を内容器１００に容易に加えることができる。例えば、内容器１００を容器本体２００から取り外す際には、使用者は、把持部２２０に指を入れ、内容器１００を容器本体２００の外側へ押し出すことにより、内容器１００を容易に取り外すことができる。
【００５０】
把持部２２０は、容器本体２００の開口部２１０と内容器の外周部１２０との間の離隔空間に形成されてもよい。具体的には、開口部２１０の大きさを内容器の外周部１２０の大きさよりも大きくし、内容器１００の外周部１２０を貯蔵部１１０の外側に突設した場合、内容器１００が開口部２１０に挿入されたとき、開口部２１０と内容器の外周部１２０との間に離隔空間が形成される。使用者は、この離隔空間を把持部２２０として用いてもよい。
【００５１】
把持部２２０は、容器本体２００の下端に形成されてもよい。また、把持部２２０は、容器本体２００に結合した内容器１００の下端と容器本体２００の下端との間に離隔した空間に形成されてもよい。
【００５２】
把持部２２０が容器本体２００の下端に形成された場合、使用者は、化粧品容器を片手で把持した状態で、容器本体２００の下端の把持部２２０に指を入れ、内容器１００を容器本体２００から容易に取り外すことができる。
【００５３】
容器本体２００は、一側に、上部キャップ５００を開閉するために作動するボタン部２３０を配備してもよい。ボタン部２３０は、上部キャップ５００と容器本体２００とを連結する連結部が配置された側とは反対側に形成されてもよいが、これらに限定されず、容器本体２００のどの部分に配置されてもよい。いくつかの実施形態によれば、ボタン部２３０は、化粧品容器の内側に加圧される方式、または化粧品容器の外周部に沿って両側方向または上下方向にスライドされる方式で作動してもよい。
【００５４】
排出手段３００は、ポンプ３１０、ポンプノズル３２０及び弾性部材３３０を備えてもよい。
ポンプ３１０は、内容器に収容された内容物を吐出させる機能を有し、シリンダとピストンとを備えてもよい。
【００５５】
ポンプ３１０は、エアレスポンプまたはディップチューブ型ポンプであってもよい。いくつかの実施形態では、エアレスポンプが使用される場合、内容器１００の貯蔵部１１０は、吐出により流体の体積が減少するにつれて、内容器１００の貯蔵部１１０内で移動する移動式フィルムまたは移動式ピストンを備えてもよい。また、エアレスポンプが使用される場合、内容器１００の貯蔵部１１０は、内容物の吐出により流体の体積が減少するにつれて収縮するパウチ形状を有してもよい。
【００５６】
ポンプノズル３２０は、ポンプ３１０と結合して内容物を分配部４００に伝達する機能を有し、ポンプノズル３２０は、容器本体２００または容器本体２００に結合した分配部４００（特に、中間本体４１０）と締結されることにより、容器本体２００に間接的に結合してもよい。
【００５７】
弾性部材３３０は、内容器１００の容器本体２００内への加圧時、加圧方向とは逆方向に内容器１００を押し出す役割を果たす。弾性部材３３０は、加圧された内容器１００を加圧される前の位置に戻すか、内容器１００を取り外しやすい位置に移動させることができる。
弾性部材３３０は、ポンプ３１０の外側面に結合してもよい。弾性部材３３０は、バネであってもよいが、これに限定されるものではない。
【００５８】
排出手段３００は、内容器１００と結合してもよく、容器本体２００と結合してもよい。また、排出手段３００の一部は内容器１００に形成され、他の一部は容器本体２００または分配部４００に形成されてもよい。
【００５９】
本発明の一実施形態では、ポンプ３１０は内容器１００に形成され、ポンプノズル３２０は分配部４００に形成され、内容器１００が容器本体２００内に挿入される際に、ポンプ３１０がポンプノズル３２０に結合することができる。本発明の他の実施形態では、ポンプ３１０及び弾性部材３３０は内容器１００に形成され、ポンプノズル３２０は分配部４００に形成されてもよい。
【００６０】
ポンプ３１０、ポンプノズル３２０および弾性部材３３０の配置は、前記実施形態に限定されるものではなく、様々な形態を採り得る。
【００６１】
排出手段３００は、ポンピングされた流体の逆流を防ぐための逆流防止部材をさらに備えてもよい。いくつかの実施形態では、逆流防止部材は、ポンプ３１０内のシリンダに配置されてもよい。しかし、排出手段３００の逆流防止部材の位置は限定されず、逆流防止部材の材料も限定されない。逆流防止部材により排出手段３００を通過した流体は一つの方向にのみ流動する。
【００６２】
分配部４００は、排出手段によって排出された内容物を分配する構成であって、中間本体４１０、分配板４２０、４３０および固定キャップ４５０を備えてもよい。
【００６３】
中間本体４１０は、排出手段３００と結合して、排出手段３００によって吐出された内容物を分配板４２０，４３０に伝達することができる。このとき、中間本体４１０は、内容物を分配板４２０，４３０に伝達するための流路４１１を備えていてもよい。
【００６４】
内容器１００の加圧によって内容器１００から吐出された流体は、ポンプノズル３２０と中間本体４１０の流路４１１とを順に通って流動して分配板４２０，４３０に供給されえてもよい。
【００６５】
中間本体４１０は、中間本体４１０の下部に配備された締結部材によって容器本体２００に締結されてもよい。中間本体４１０の上部は分配板４２０，４３０及び固定キャップ４５０と締結され、中間本体４１０の下部は容器本体２００と締結されてもよい。
【００６６】
中間本体４１０は、分配板４２０，４３０または固定キャップ４５０と一体型に形成されてもよい。また、中間本体４１０、分配板４２０，４３０、固定キャップ４５０の一部または全部を一体に形成してもよい。
【００６７】
分配板４２０，４３０は、容器本体２００に結合した内容器１００から吐出された流体を分配することができる。
本発明の一実施形態によれば、分配板４２０，４３０は、上部分配板４３０及び下部分配板４２０として形成される。
【００６８】
下部分配板４２０は、流体を上部分配板４３０に伝達するための少なくとも１つの孔を有してもよい。いくつかの実施形態では、下部分配板４２０の孔は、下部分配板４２０の中央に形成された１つの孔であってもよい。
【００６９】
上部分配板４３０には、排出手段３００によって吐出された内容物を分配するための分配路４３１が形成されてもよい。分配路４３１は、複数の孔、溝、および／または切欠部などで形成されてもよい。分配路４３１は、下部分配板４２０の孔を通って導入された流体を均一に分配するように形成および配置されてもよい。分配路４３１は、放射状、円形状などに形成されてもよく、審美的に好ましい画像や使用者が認識可能な文字やロゴなどのパターンを有するように形成されてもよい。分配路４３１の形態は、本実施形態に限定されるものではなく、様々な形態が可能である。
【００７０】
上部分配板４３０は、パフなどの化粧用具による加圧によって形が変形しないように硬質の材料で形成されてもよい。上部分配板４３０は、金属、セラミック、合成樹脂等の材質で形成されてもよい。
【００７１】
固定キャップ４５０は、分配板４２０，４３０を固定する機能を有し、上部分配板４３０及び下部分配板４２０の上部に配置された状態で中間本体４１０に締結されることにより、分配板４２０，４３０を容器本体２００に固定することができる。
【００７２】
固定キャップ４５０は、分配板４２０，４３０によって分配された流体が分配板４２０，４３０の外側に流れるのを防ぐために上向きに突出した環状リブを備えてもよい。
【００７３】
上部分配板４３０、下部分配板４２０、固定キャップ４５０は、別々に形成されてもよく、一部または全部が一体に形成されてもよい。いくつかの構成要素を省略できることはいうまでもない。
【００７４】
本発明の一実施形態によれば、結合した内容器１００が加圧されると、内容器１００の流体は、ポンプ３１０を経てポンプノズル３２０に向かって流動し、次いで中間本体４１０の流路４１１に沿って流動し、下部分配板４２０に形成された孔を介して上部分配板４３０内に導入できる。導入された流体は、分配路４３１を通過しながら上部分配板４３０の表面に均一に分配できる。使用者は、上部分配板４３０の表面に均一に分配された流体を、パフなどの化粧用具を用いて顔や体などに均一に塗布することができる。
【００７５】
分配部４００は、メッシュ網４４０をさらに備えてもよい。メッシュ網４４０は、多数の微細孔を有する可撓性メッシュ網であってもよい。いくつかの実施形態では、メッシュ網４４０は、単一または多重の網から構成されてもよい。メッシュ網は、ポリエチレン（ｐｏｌｙｅｔｈｙｌｅｎｅ；ＰＥ）材料で製造されてもよく、これを含んで製造されてもよいが、これに限定されるものではなく、他の材料で製造されてもよく、様々な材料を含んで製造されてもよい。メッシュ網４４０では、メッシュ網４４０の表面全体にわたって化粧料を均一に分配することができる。いくつかの実施形態では、メッシュ網４４０は、上部分配板４３０の上部に配置されて、吐出された化粧料が上部分配板４３０から跳ね返ることを防止することができる。また、上部分配板４３０をパフなどの化粧用具で押して内容物を取り出すと、適切な量の内容物を化粧用具に塗布することができる。
【００７６】
本発明の一実施形態によれば、化粧品容器は、分配板４２０、４３０の代わりに、または分配板４２０、４３０と共に含浸部材をさらに備えてもよい。含浸部材は、分配板４２０、４３０または中間本体４１０に導入された化粧料で充電されてもよい。いくつかの実施形態では、含浸部材は、スポンジなどの多孔性材料で形成され、含浸部材の全体容積にわたって化粧料を均一に分配することができる。
【００７７】
本発明の一実施形態によれば、化粧品容器は、パフなどの化粧用具を収納する収納部材をさらに備えてもよい。いくつかの実施形態では、収納部材は、上部分配板４３０上に配置されてもよい。いくつかの実施形態では、収納部材は、化粧用具を上部分配板４３０と接触させずに分離可能に形成されてもよい。いくつかの実施形態では、収納部材は、化粧品容器の一部に連結されてヒンジ方式で移動可能に形成されてもよい。
【００７８】
上部キャップ５００は、容器本体２００を密閉する機能を有する。上部キャップ５００は、一側に形成されたヒンジ継手などの連結部によって容器本体２００と連結されてもよい。連結部は、上部キャップ５００が開位置にあるとき、容器本体２００から取り外されるのを防止するために構成されてもよい。他の実施形態では、上部キャップ５００は、一側に形成されたヒンジ継手などの連結部によって中間本体４１０と連結されてもよい。
【００７９】
上部キャップ５００は、連結部なしに容器本体２００と直接結合してもよい。例えば、上部キャップ５００及び容器本体２００は、内側にねじ山が形成されており、相互の回転により結合してもよい。
【００８０】
本発明の一実施形態によれば、化粧品容器は、上部キャップ５００が閉じられた状態で、容器本体２００に結合した内容器１００が容器本体２００内へ加圧されることを防止するための係止部５１０を備えてもよい。
【００８１】
いくつかの実施形態では、係止部５１０は、上部キャップ５００に形成されてもよい。係止部５１０は、結合した内容器１００の上端と係合するように、上部キャップ５００の下端に突設されてもよい。係止部５１０の形態は、これに限定されるものではなく、多様な形態を取り得る。
【００８２】
また、前記係止部５１０は、上部キャップ５００の周りに沿って１つ以上形成されてもよく、または、互いに離隔して配置されてもよい。係止部５１０は、内容器１００の一部と当接して内容器１００が容器本体２００内へ加圧されるのを防止するために、内容器１００の結合箇所付近から突出した形状を有してもよい。
【００８３】
本発明の他の実施形態によれば、係止部５１０は、内容器１００に形成されてもよい。この場合、上部キャップ５００が閉じられると、内容器１００に形成された係止部５１０により、容器本体２００に結合した内容器１００の容器本体２００内への移動が阻止される。
【００８４】
係止部５１０は、内容器の挿入方向に対応して形成されてもよい。例えば、内容器１００が容器本体２００の左側面から挿入される場合、係止部５１０は化粧品容器の左側面に形成されてもよい。内容器１００が容器本体２００の右側面から挿入される場合、係止部５１０は、化粧品容器の右側面に形成されてもよい。内容器１００が容器本体２００の正面または後面から挿入される場合、係止部５１０は、化粧品容器の正面または後面に形成されてもよい。
【００８５】
上部キャップ５００の内面には、鏡５２０が取り付けられてもよい。使用者は、鏡５２０で自分の姿を確認して、化粧品容器から分配された流体を顔や体などに塗布することができる。鏡５２０は、ガラスからなってもよいが、これに限定されるものではなく、他の材料で製造されるか、様々な材料を含んで製造されてもよい。また、鏡５２０の形状は、円形または四角形であってもよいが、これらに限定されるものではない。また、本発明の一実施形態によれば、鏡５２０はまた、上部キャップ５００から脱着可能に取り付けられてもよい。
【００８６】
上部キャップ５００の一側には、例えば、フック状の先端を有するロック部５３０を配備してもよい。使用者が化粧品容器の上部キャップ５００を閉じると、上部キャップ５００のフックが、容器本体２００のボタン部２３０の上端に形成された凹部内の溝と係合し、これにより上部キャップ５００を閉位置に維持することができる。使用者がボタン部２３０を作動させると、上部キャップ５００のフックがボタン部２３０の凹部から外れ、これにより上部キャップ５００を開位置に移動させることができる。他の実施形態では、フック型ロック部５３０をボタン部２３０に形成し、フック型ロック部と係合する溝付き凹部を上部キャップ５００に形成してもよい。
【００８７】
本発明の一実施形態においては、コンパクト容器を例として挙げたが、コンパクト容器に限定されず、種々の化粧品容器に適用することができる。さらに、化粧品だけでなく、医薬品、食品などの分野にも適用することができる。
【００８８】
図６は、本発明の一実施形態に係る化粧品容器の内容器を容器本体内へ加圧した状態を示す図であり、図７は、本発明の一実施形態に係る化粧品容器の内容器を容器本体から取り外した状態を示す図である。以下、図６及び図７を参照して、本発明の一実施形態に係る化粧品容器からの流体吐出について説明する。
【００８９】
内容器１００を、容器本体２００に挿入した後、容器本体２００内へ加圧してもよい。上部キャップ５００に係止部５１０が形成されているため、上部キャップ５００が容器本体２００を密閉している場合、係止部５１０は、内容器１００の一部と当接して、容器本体に挿入された内容器１００が容器本体２００内へ加圧されるのを防止することができる。すなわち、上部キャップ５００を閉じている状態では、内容器１００が容器本体２００内へ加圧されることを阻止して、誤作動による内容物の吐出を防ぐことができる。
【００９０】
上部キャップ５００を開放した後、内容器１００を容器本体２００内へ加圧すると、内容器１００内の貯蔵部１１０と連通するシリンダ内にピストンが挿入され、内容器１００内の流体がピストン及びポンプノズル３２０を通って流動して分配部４００に吐出される。
【００９１】
結合した内容器１００が加圧されると、内容器１００の流体は、ポンプ３１０を介してポンプノズル３２０に向かって流動し、次いで中間本体４１０の流路４１１に沿って流動し、下部分配板４２０に形成された孔を通して上部分配板４３０内に吐出される。吐出された流体は、分配路４３１を通過しながら上部分配板４３０の表面に均一に分配される。使用者は、上部分配板４３０の表面に均一に分配されている流体を、パフなどの化粧用具を用いて顔や体などに均一に塗布することができる。
【００９２】
加圧力が解除されると、弾性部材３３０によって加圧された内容器１００が、加圧される前の位置に戻る。使用者は、必要に応じて内容器１００を容器本体２００内へ再び加圧することにより、内容物を連続的に吐出することができる。
【００９３】
吐出される流体の量は、内容器１００を容器本体２００内へ加圧する加圧力、加圧の回数、加圧の程度、および／または加圧時間に応じて定められる。１回に吐出される流体の量は、所定量であってもよい。
【００９４】
内容器１００内の内容物を使い切ると、使用者は、開口部２１０を通して内容器１００を容器本体２００から取り外すことができる。内容器１００は、容器本体２００から完全に取り外されて除去されてもよい。
【００９５】
使用者は、必要に応じて既存の内容器１００を容器本体２００から除去し、新しい内容器を容器本体２００に挿入して使用することができる。例えば、使用者は、流体が完全に使い果たされた内容器１００を交換したい場合や、他の流体を有する新しい内容器を使用したい場合には、内容器を交換することができる。
以下、本発明の一実施形態に係る化粧品容器の使用方法について説明する。
【００９６】
本発明の一実施形態に係る化粧品容器の使用者は、片手で化粧品容器を把持した状態で、内容器１００を容器本体２００内に挿入することができ、容器本体２００から取り外すことができる。例えば、図１に示す一実施形態に係る化粧品容器を使用する使用者は、片手で化粧品容器を持ち、上部キャップ５００を開き、親指で化粧品容器の側面の内容器１００を容器本体２００内へ加圧することにより、内容物を吐出することができる。また、前記容器本体２００の開口部２１０と内容器の外周部１２０との間の離隔空間に形成された把持部２２０に指を入れて、内容器１００を容器本体２００から取り外すことができる。使用者は、両手を用いることなく、片手だけで内容器１００を容易に容器本体２００内に挿入したり、容器本体２００から取り外したり、交換したりすることができる。
【００９７】
以上のように、実施形態がたとえ限定された実施形態及び図面によって説明されたとしても、当該技術分野で通常の知識を有するものであれば、前述のところから様々な修正及び変形が可能である。例えば、説明された構造、装置などの構成要素が、説明された方法と異なる形態により結合または組み合わせるか、他の構成要素または均等物によって代置されるか置き換えられても、適切な結果を達成することができる。よって、他の具現、他の実施形態および特許請求の範囲と均等なものも、後術する特許請求の範囲に属するのである。
【図１】
0006848090.tif 000002
【図２】
0006848090.tif 000003
【図３】
0006848090.tif 000004
【図４】
0006848090.tif 000005
【図５】
0006848090.tif 000006
【図６】
0006848090.tif 000007
【図７】
0006848090.tif 000008